(57)【要約】【課題】  印刷データを画像データに変換して作成する画像作成部と、用紙に画像を印刷する画像印刷部とがそれぞれ独立したＣＰＵとメモリを有している画像形成装置で作成される画像データの特に回転ソートやブックレット印刷等の画像データの編集が行われる画像データの保存転送に関して、画像作成部の画像データの保存により画像作成部のメモリ領域が圧迫されてしまい処理効率が落ちてしまう問題と印刷の度に画像作成部から画像印刷部に画像データを転送する問題を解消すること。【解決手段】  画像作成部が作成し、画像データの編集が行われたビットマップデータを画像印刷部に転送後、画像印刷部でビットマップデータを保存し、保存完了したことを画像作成部に通知する。通知を受け取った画像作成部は、ビットマップデータを削除して、メモリに余裕が出た状態で次のビットマップデータの作成を開始する方法で課題を解決した。【選択図】図３
2011016342.tif 000002
【特許請求の範囲】
【請求項１】
画像作成部と、
前記画像作成部と電気的に接続された画像印刷部とを有し、
前記画像作成部と前記画像印刷部は、それぞれ独立したＣＰＵとメモリを有し、
前記画像作成部は、
印刷データを画像データに変換する画像変換手段と、
前記画像変換手段により作成された画像データを編集する画像データ編集手段と、
前記画像変換手段により変換された画像データ又は前記画像データ編集手段により変換された画像データを前記画像印刷部に送信する画像データ送信手段と、
前記画像印刷部から、前記画像データの受信完了通知を受けると前記画像データをメモリ上から削除する画像データ削除手段と、を有し、
前記画像印刷部は、
前記画像作成部から前記画像データを受信する画像データ受信手段と、
前記受信した画像データを前記メモリに保存する画像データ保存手段と、
前記画像データの保存を完了すると前記画像データの受信完了を前記画像作成部に対して通知する画像データ受信完了通知手段と、
前記受信した画像データを用紙上に印刷する画像データ印刷手段と、を有する
ことを特徴とする画像形成装置。
【請求項２】
請求項１の画像形成装置であって、
前記画像データ編集手段が行う画像データの編集は、回転ソートのための画像データの回転処理、又はブックレット印刷のための画像データのページ並び替えを行う
ことを特徴とする画像形成装置。
【請求項３】
請求項１又は２の画像形成装置であって、
前記画像データ送信手段は、前記画像データを１部数毎に送信し、
前記画像データ保存手段は、受信した画像データを１部数毎に保存し、
前記画像データ受信完了通知手段は、前記送信された１部数の画像データ毎に受信完了通知を行なう
ことを特徴とする画像形成装置。
【発明の詳細な説明】
【技術分野】
【０００１】
画像形成装置において、画像作成部で作成されたビットマップデータを画像印刷部に転送して印刷する際の印刷データの処理に関するものである。
【背景技術】
【０００２】
画像形成装置は、ホストＰＣ（Personal Computer）から受信したＰＤＬ（Page Description Language；ページ記述言語）により記載されている印刷データをビットマップデータに変換する画像作成部と、印刷エンジンを擁して前記ビットマップデータを用紙上に印刷する画像印刷部を有する。
【０００３】
最近の画像形成装置では、図１の機能ブロック図で示すように、これら画像作成部と画像印刷部のそれぞれが独立したＣＰＵとメモリを有しており、それぞれの機能部が並行に動作を可能とすることによって、印刷処理を高速に行うことを可能とする。
【０００４】
このような構成の画像形成装置の印刷動作では、従来、ホストＰＣから受信した印刷データを画像作成部で画像データに変換して当該画像データを画像印刷部に転送して印刷を行うが、回転ソートやブックレット印刷等の作成した画像データの編集を伴うジョブ印刷については、画像印刷部での印刷処理が完了するまで、画像作成部が画像データを保持していた。そのため、例えば回転ソートにおいて、同じ画像データを印刷する際には、その度に画像作成部から画像印刷部にデータが転送されていた。図４に従来の回転ソートを伴う印刷動作のシーケンス図を示し、以下に各動作について説明する。
【０００５】
Ｐ１１：ホストＰＣ３１は、画像形成装置１１に印刷ジョブ１を送信する。印刷ジョブ１には、回転ソートにより印刷される旨の指定がある。画像形成装置１１は、ネットワークインタフェース１７で印刷ジョブ１のデータを受信して、当該データを通信インタフェース１３ｉにより画像作成部１３が受信する。
【０００６】
Ｐ１３：画像作成部１３の画像作成手段１３ｐは、受信した印刷ジョブ１の第１部数のデータを画像印刷部１５の印刷エンジン１５ｅが印刷可能なビットマップデータに変換する。本印刷は回転ソートにて行うため、奇数部数用に当該ビットマップをＡ４縦配置の用紙に合うように画像データを作成する。通常縦位置の場合は回転処理を行なわない。
【０００７】
Ｐ１５：ホストＰＣ３１は、Ｐ１１と同様に画像形成装置１１に印刷ジョブ２を送信する。画像形成装置１１は、ネットワークインタフェース１７で印刷ジョブ２のデータを受信して、当該データを通信インタフェース１３ｉにより画像作成部１３が受信する。
【０００８】
Ｐ１７：画像作成部１３の画像作成手段１３ｐは、受信した印刷ジョブ１の偶数部数用のデータを画像印刷部１５の印刷エンジン１５ｅが印刷可能なビットマップデータに変換する。本印刷は回転ソートにて行うため、偶数部数用に当該ビットマップをＡ４縦配置の用紙に合うように画像データを回転処理する。
【０００９】
Ｐ１９：画像作成手段１３ｐは、通信インタフェース１３ｉから画像印刷部１５の通信インタフェース１５ｉを経由して画像印刷手段１５ｐにＰ１３で作成した縦配置の画像データを送信する。
【００１０】
Ｐ２１：画像印刷部１５は、Ｐ１９で受信した縦配置の画像データの印刷を印刷エンジン１５ｅで行う。
【００１１】
Ｐ２３：画像印刷部１５は、Ｐ２１の印刷の完了を通信インタフェース１５ｉから画像作成部１３の通信インタフェース１３ｉを経由して画像作成部１３に対して通知する。
【００１２】
Ｐ２５：画像作成手段１３ｐは、通信インタフェース１３ｉから画像印刷部１５の通信インタフェース１５ｉを経由して画像印刷手段１５ｐにＰ１７で作成した横配置の画像データを送信する。
【００１３】
Ｐ２７：画像印刷部１５は、Ｐ２５で受信した横配置の画像データの印刷を印刷エンジン１５ｅで行う。
【００１４】
Ｐ２９：画像印刷部１５は、Ｐ２７の印刷の完了を通信インタフェース１５ｉから画像作成部１３の通信インタフェース１３ｉを経由して画像作成部１３に対して通知する。
【００１５】
Ｐ３１からＰ３５の動作は、Ｐ１９からＰ２３の動作と同じであるので説明を省略する。
【００１６】
Ｐ３７からＰ４１の動作は、Ｐ２５からＰ２９の動作と同じであるので説明を省略する。
【００１７】
Ｐ４３：画像印刷部１５でのジョブ１の縦配置の印刷が完了したので、画像作成部１３が保持していた縦配置の画像データを削除する。
【００１８】
Ｐ４５：画像印刷部１５でのジョブ１の横配置の印刷が完了したので、画像作成部１３が保持していた横配置の画像データを削除する。
【００１９】
Ｐ４７：ジョブ１の印刷処理が全て完了したので、画像作成部１３は、Ｐ１５で受信した印刷データの画像データ変換作成を開始して動作を繰り返す。
【００２０】
上記の方法では、画像作成部１３は、Ｐ１３で作成した縦配置のビットマップデータをＰ３５での印刷完了通知を受け取るまでは削除することができず、Ｐ１７で作成した横配置のビットマップデータをＰ４１での印刷完了通知を受け取るまでは削除することができない。このため、その間画像作成部１３のＤＲＡＭ１３ｄのメモリが当該ビットマップデータで占有されるため空き容量が限られてしまう。そのため、Ｐ４７のジョブ２の画像データの作成を開始することができない。
【００２１】
もし、ジョブ２画像データの作成をＰ３５又はＰ４１での印刷完了通知前、すなわち画像印刷部１５でのＰ３３又はＰ３９での印刷時に開始したとしても前述したようにメモリ容量がジョブ１の縦配置及び横配置のビットマップデータにより占有されておりメモリの空き容量が十分でないために処理の効率が高まらず、処理に時間がかかってしまう。
【００２２】
また、画像印刷部１５における印刷の度に画像作成部１３から画像データが転送されるため、転送処理に時間がかかり全体としての印刷時間が長くなってしまう。
【００２３】
他の従来技術として、ホスト装置から転送された印刷データの転送時間を短縮し印刷効率を高める為に、複数部数の印刷の一部が転送完了した段階で印刷データの展開及び印刷を開始して、第２部目の印刷データの転送を並行に行う方法がある（特許文献１参照）。
【００２４】
しかし、同方法はホストＰＣと画像形成装置との間での転送に関するものであり、画像形成装置内の各部での印刷データの転送に関するものではない。
【先行技術文献】
【特許文献】
【００２５】
【特許文献１】特開２０００−１４８４１８号公報
【発明の概要】
【発明が解決しようとする課題】
【００２６】
解決しようとする課題は、画像形成装置内で作成される画像データの保存転送に関して、画像データの保存によりメモリ領域が圧迫されてしまい処理効率が落ちてしまう問題と、画像作成部から画像印刷部に対して同じ画像データを印刷の度に転送するため時間がかかる問題とを解消することができなかった点である。
【課題を解決するための手段】
【００２７】
本発明の画像形成装置は、印刷データを画像データに変換して作成する画像作成部と、前記画像作成部と電気的に接続された画像印刷部とを有し、前記画像作成部と前記画像印刷部は、それぞれ独立したＣＰＵとメモリを有している画像形成装置であって、前記画像作成部は、印刷データを画像データに変換する画像変換手段と、前記画像変換手段により作成された画像データを編集する画像データ編集手段と、前記画像変換手段により変換された画像データ又は前記画像データ編集手段により変換された画像データを前記画像印刷部に送信する画像データ送信手段と、前記画像印刷部から、前記画像データの受信完了通知を受けると前記画像データをメモリ上から削除する画像データ削除手段と、を有し、前記画像印刷部は、前記画像作成部から前記画像データを受信する画像データ受信手段と、前記受信した画像データを前記メモリに保存する画像データ保存手段と、前記画像データの保存を完了すると前記画像データの受信完了を前記画像作成部に対して通知する画像データ受信完了通知手段と、前記受信した画像データを用紙上に印刷する画像データ印刷手段と、を有することを特徴とする。
【発明の効果】
【００２８】
本発明の画像形成装置は、画像作成部が画像データの転送後画像データをメモリ中から削除できるため、画像データにより占有されていたメモリが空き状態となり、次の印刷データを画像データに変換して作成する作業にかかれる。回転ソート等の画像データ編集処理の行われる画像データでは、画像作成部で同じデータが再度印刷に使われる。従来は、印刷の度に同じデータを画像作成部から画像印刷部に転送されていたが、本方法により転送は一度だけですむことになる。上記の理由により、印刷処理にかかる時間が短縮される。
【図面の簡単な説明】
【００２９】
【図１】本発明実施例の画像形成装置の機能ブロック図である。従来例の画像形成装置も同様の構成を有する。
【図２】本発明実施例の画像形成装置の画像作成手段及び画像印刷手段の内部の機能ブロック図である。
【図３】本発明実施例の画像形成装置の印刷データを受信してから印刷を完了するまでのシーケンス図である。
【図４】従来例の画像形成装置の印刷データを受信してから印刷を完了するまでのシーケンス図である。
【発明を実施するための形態】
【００３０】
本発明は、印刷データを画像データに変換して作成する画像作成部と、用紙に画像を印刷する画像印刷部とがそれぞれ独立したＣＰＵとメモリを有している画像形成装置で作成される画像データの保存転送に関して、画像データの保存によりメモリ領域が圧迫されてしまい処理効率が落ちてしまう問題と、印刷の度に画像作成部から画像印刷部への画像データの転送を行うことで処理時間がかかってしまう問題を解消する。そのために、画像作成部が作成したビットマップデータを画像印刷部に転送後、画像印刷部は、ビットマップデータを保存し、保存完了したことを画像作成部に通知する。通知を受け取った画像作成部は、ビットマップデータを削除して、メモリに余裕が出た状態で次のビットマップデータの作成を開始する。
【実施例１】
【００３１】
本発明実施例の画像形成装置１１について以下に説明する。
【００３２】
［構成］
図１は、本発明実施例の画像形成装置１１の機能ブロック図である。
【００３３】
本発明実施例の画像形成装置１１は、画像作成部１３及び画像印刷部１５がそれぞれにコンピュータ、記憶装置を有する。
【００３４】
コンピュータは、ＣＰＵ（Central Processing Unit）１３ｃ、１５ｃ、ＲＯＭ（Read Only Memory）１３ｒ、１５ｒ、およびＲＡＭ（Random Access Memory；メモリ）１３ｄ、１５ｄ等により構成されており、プログラムを実行して演算および／または制御を行う装置である。コンピュータは、プログラムを実行することにより、後述する画像作成手段１３ｐ、画像変換手段１３ｐ１（以下図２；詳細後述）、画像データ編集手段１３ｐ２、画像データ送信手段１３ｐ３、画像データ削除手段１３ｐ４、画像印刷手段１５ｐ、画像データ受信手段１５ｐ１、画像データ保存手段１５ｐ２、画像データ受信完了通知手段１５ｐ３、画像データ印刷手段１５ｐ４、および画像データ削除手段１５ｐ５を実現する。
【００３５】
記憶装置は、プログラムおよびデータを格納する装置である。記憶装置としては、前記したＲＯＭ１３ｒ、１５ｒ、ＤＲＡＭ１３ｄ、１５ｄがある。本実施例では、記憶装置には、画像形成装置を作動させるためのプログラム、及び画像形成装置の動作実行のために必要なデータが格納されている。
【００３６】
図１は、本発明実施例の画像形成装置１１の機能ブロック図である。
【００３７】
画像形成装置１１は、画像作成部１３、画像印刷部１５、およびネットワークインタフェース１７を有する。画像作成部１３は、内部にＣＰＵ１３ｃ、ＤＲＡＭ１３ｄ、ＲＯＭ１３ｒ、画像作成手段１３ｐ、および通信インタフェース１３ｉを有する。画像印刷部１５は、内部にＣＰＵ１５ｃ、ＤＲＡＭ１５ｄ、ＲＯＭ１５ｒ、画像印刷手段１５ｐ、通信インタフェース１５ｉ、および印刷エンジン１５ｅを有する。
【００３８】
図２に画像作成手段１３ｐ及び画像印刷手段１５ｐが内部に示す機能について示した機能ブロック図を示す。
【００３９】
画像作成手段１３ｐは、画像変換手段１３ｐ１、画像データ編集手段１３ｐ２、画像データ送信手段１３ｐ３、および画像データ削除手段１３ｐ４を有する。
【００４０】
画像印刷手段１５ｐは、画像データ受信手段１５ｐ１、画像データ保存手段１５ｐ２、画像データ受信完了通知手段１５ｐ３、画像データ印刷手段１５ｐ４、および画像データ削除手段１５ｐ５を有する。
【００４１】
本実施例の説明においては、一般的な画像形成装置に備わっている原稿読み取り部、ファクス送受信部等、本発明の本質には関係ない機能部については説明を省略した。
【００４２】
以下に各構成要素について説明する。
【００４３】
ネットワークインタフェース１７は、画像形成装置１１を外部のネットワークと接続して通信を行なうための、例えばネットワークインタフェースカード、モデムなどの通信装置である。ネットワークインタフェース１７は、ホストＰＣ３１から送信された印刷データを受信して、画像作成部１３の通信板フェース１３ｉを経由して画像作成部１３に印刷データを送信する。
【００４４】
画像作成部１３は、ホストＰＣから受信した印刷データを印刷エンジンで印刷実行を可能とさせるための画像データ（ビットマップデータ）形式に変換する。画像作成部１３は、前述の独立したＣＰＵ１３ｃ、ＲＯＭ１３ｒ、ＤＲＡＭ（メモリ）１３ｄ、通信インタフェース１３ｉを有している。その他に本発明の本質である画像作成機能を実現させるための画像作成手段１３ｐを有する。
【００４５】
ＣＰＵ１３ｃは、ＲＯＭ１３ｒに格納されているプログラムを実行することにより、ＣＰＵ１３ｃ内部に画像作成手段１３ｐ（画像変換手段１３ｐ１、画像データ編集手段１３ｐ２、画像データ送信手段１３ｐ３、および画像データ削除手段１３ｐ４）のソフトウェア要素を構成する。
【００４６】
通信インタフェース１３ｉは、画像形成装置１１内部でのデータの授受を行なうインタフェース部である。
【００４７】
画像変換手段１３ｐ１は、ホストＰＣ３１から受信した印刷データを画像印刷部１５の印刷エンジンが印刷のために実行可能なデータ形式である画像データ（ビットマップデータ）に変換する。
【００４８】
画像データ編集手段１３ｐ２は、ホストＰＣ３１から受信した印刷データに回転ソート（部数毎に縦配置と横配置を交互に印刷する）やブックレット印刷（冊子上に綴じた時にページ配置が正しく並ぶようにページ印刷順番を並び替えて印刷する）等の画像データの編集が伴う印刷であるときに、当該画像データの編集を行う。画像データ編集手段１３ｐ２は、画像変換手段１３ｐ１と協調して動作する。例えば、画像データ変換手段１３ｐ１が印刷データを一度中間言語の形に変換し、その後画像データ編集手段１３ｐ２が中間言語の形で、回転ソートやブックレット印刷等の編集処理を当該中間言語データに対して行って、その後再度画像データ変換手段１３ｐ１が編集済みの中間言語データをビットマップデータに変換するという形をとってもよい。その他に、画像データ編集手段１３ｐ２が画像データ変換手段１３ｐ１が作成したビットマップデータを直接編集（画像回転処理やページ並び替え処理等）を行う方法であってもよい。又、ＰＤＬ形式の印刷データを画像データ編集手段１３ｐ２が画像データ変換手段１３ｐ１での処理前に編集処理を行う方法であっても良い。
【００４９】
画像データ送信手段１３ｐ３は、前記画像変換手段１３ｐ１により変換された画像データを前記画像印刷部１５に送信する機能を有する。
【００５０】
画像データ削除手段１３ｐ４は、前記画像印刷部１５から前記画像データの受信完了通知を受け取ると、画像データをメモリ（ＤＲＡＭ１３ｄ）から削除する。この削除によりメモリ（ＤＲＡＭ１３ｄ）に空き容量が増えて、次の画像データ作成のための処理が円滑に行なわれる。
【００５１】
画像印刷部１５は、画像作成部１３が作成した画像データを用紙上に印刷するための機能部である。画像印刷部１５は、前述の独立したＣＰＵ１５ｃ、ＲＯＭ１５ｒ、ＤＲＡＭ（メモリ）１５ｄ、通信インタフェース１５ｉ、印刷エンジン１５ｅを有している。その他に本発明の本質である画像印刷機能を実現させるための画像印刷手段１５ｐを有する。
【００５２】
ＣＰＵ１５ｃは、ＲＯＭ１５ｒに格納されているプログラムを実行することにより、ＣＰＵ１５ｃ内部に画像印刷手段１５ｐ（画像データ受信手段１５ｐ１、画像データ保存手段１５ｐ２、画像データ受信完了通知手段１５ｐ３、画像データ印刷手段１５ｐ４、および画像データ削除手段１５ｐ５）のソフトウェア要素を構成する。
【００５３】
印刷エンジン１５ｅは、入力された画像データを用紙へ印刷するための画像処理用の制御ボードや画像形成プロセス毎の装置ユニット等により構成されている。
【００５４】
通信インタフェース１５ｉは、画像形成装置１１内部でのデータの授受を行なうインタフェース部である。
【００５５】
画像データ受信手段１５ｐ１は、画像作成部１３から画像データを受信する機能部である。
【００５６】
画像データ保存手段１５ｐ２は、受信した画像データをメモリ（ＤＲＡＭ１５ｄ）に保存する。
【００５７】
画像データ受信完了通知手段１５ｐ３は、前記画像データの保存が完了すると画像作成部１３に対して、画像データの受信を完了した旨通知する。
【００５８】
画像データ印刷手段１５ｐ４は、印刷エンジンに画像データを転送して用紙上に画像データを印刷させるための機能部である。
【００５９】
画像データ削除手段１５ｐ５は、前記印刷エンジンでの印刷が完了した後、画像データをメモリ（ＤＲＡＭ１５ｄ）から削除する機能部である。
【００６０】
画像形成装置１１では、画像データの送受信はジョブの１部数毎に行なわれ、画像データの保存も１部数毎に行なわれ、画像データ受信完了通知手段が行なう画像データの受信完了通知も画像データの１部数毎に行なわれる。
【００６１】
［シーケンス］
図３に本発明実施例の画像形成装置の印刷の際のデータの流れを示すシーケンス図を示す。各シーケンスの動作について説明する。
【００６２】
Ｓ１１：ホストＰＣ３１は、画像形成装置１１に印刷ジョブ１を送信する。画像形成装置１１は、ネットワークインタフェース１７で印刷ジョブ１のデータを受信して、当該データを通信インタフェース１３ｉにより画像作成部１３が受信する。
【００６３】
Ｓ１３：画像作成部１３の画像作成手段１３ｐは、受信した印刷ジョブ１の第１ページのデータを画像印刷部１５の印刷エンジン１５ｅが印刷可能なビットマップデータに変換する。この際に、画像変換手段１３ｐ１がＰＤＬ形式の印刷データをビットマップデータに変換する。画像変換手段１３ｐ１が作成した画像データは、用紙の縦配置に適合しているので、画像データ編集手段１３ｐ２は、画像データの編集（回転処理）を行わない。
【００６４】
Ｓ１５：ホストＰＣ３１は、Ｓ１１と同様に画像形成装置１１に印刷ジョブ２を送信する。画像形成装置１１は、ネットワークインタフェース１７で印刷ジョブ２のデータを受信して、当該データを通信インタフェース１３ｉにより画像作成部１３が受信する。
【００６５】
Ｓ１７：画像作成部１３の画像データ送信手段１３ｐ３は、Ｓ１３で画像変換手段１３ｐ１が作成した印刷ジョブ１の奇数部数のビットマップデータを通信インタフェース１３ｉから画像印刷部１５の通信インタフェース１５ｉを経由して画像印刷部１５が受信する。この場合、回転ソートの奇数部数用として縦配置に印刷する１部数の画像データのみが必要であるので、縦配置の１部数の全頁の画像データが転送される。
【００６６】
Ｓ１８：画像印刷部１５の画像データ保存手段１５ｐ２は、受信した画像データを記憶装置であるＤＲＡＭ１５ｄに保存する。画像データ印刷手段１５ｐ４は、保存した印刷ジョブ１の縦配置のビットマップデータを印刷エンジン１５ｅに転送して縦配置の用紙に印刷する。
【００６７】
Ｓ１９：画像印刷部１５の画像データ受信完了通知手段１５ｐ３は、印刷ジョブ１の奇数部数の縦配置のビットマップデータの受取が完了したことを画像作成部１３に対して通知する。
【００６８】
Ｓ２１：画像作成部１３の画像データ編集手段１３ｐ２は、回転ソートの偶数部数の横配置の用紙に適合するよう印刷ジョブ１の画像データの回転処理を行う。
【００６９】
Ｓ２３：画像作成部１３の画像データ削除手段１３ｐ４は、Ｓ１９でのデータ受信通知を受けて、印刷ジョブ１の縦配置のビットマップデータを削除する。
【００７０】
Ｓ２５：Ｓ２３の動作と並行して、画像作成部１３の画像作成手段１３ｐは、Ｓ２１で編集した印刷ジョブ１の横配置用の画像データを画像印刷部に送信する。
【００７１】
Ｓ２６：画像印刷部１５の画像データ保存手段１５ｐ２は、受信した画像データを記憶装置であるＤＲＡＭ１５ｄに保存する。画像データ印刷手段１５ｐ４は、保存した印刷ジョブ１の横配置のビットマップデータを印刷エンジン１５ｅに転送して横配置の用紙に印刷する。
【００７２】
Ｓ２７：画像印刷部１５の画像データ受信完了通知手段１５ｐ３は、印刷ジョブ１の偶数部数の横配置のビットマップデータの受取が完了したことを画像作成部１３に対して通知する。
【００７３】
Ｓ２９：画像作成部１３の画像データ削除手段１３ｐ４は、Ｓ２７でのデータ受信通知を受けて、印刷ジョブ１の横配置のビットマップデータを削除する。
【００７４】
Ｓ３１：Ｓ１３と同様にＳ１５で受信したジョブ２の印刷データの画像データへの変換を行う。
【００７５】
Ｓ３３：画像データ印刷手段１５ｐ４は、Ｓ１８で保存した縦配置のビットマップデータを再度印刷エンジン１５ｅに転送して奇数部数（第３部）の印刷を行う。
【００７６】
Ｓ３５：画像データ印刷手段１５ｐ４は、Ｓ２６で保存した横配置のビットマップデータを再度印刷エンジン１５ｅに転送して偶数部数（第４部）の印刷を行う。
【００７７】
Ｓ３７：ジョブ１の縦配置の印刷が完了したので、画像データ削除手段１５ｐ５は、Ｓ１８で保存した縦配置の画像データを削除する。
【００７８】
Ｓ３９：ジョブ１の横配置の印刷が完了したので、画像データ削除手段１５ｐ５は、Ｓ２６で保存した横配置の画像データを削除する。
【００７９】
以上の一連の動作により画像作成部から画像印刷部に転送された画像データが画像印刷部で保存されて、その後印刷が完了する。
【００８０】
［実施例の効果］
本実施例の画像形成装置により以下のことが可能となる。
【００８１】
画像作成部１３で作成された画像データは、画像印刷部１５に転送されて保存が完了した後、画像作成部１３のメモリ１３ｄからは削除されるため、画像作成部１３のメモリ１３ｄに空き容量が増えて、次の画像データの作成の処理効率が高まる。よって、印刷処理の時間が短縮される。
【００８２】
回転ソートやブックレット印刷時に画像データの編集が必要であれば、画像データ編集手段１３ｐ２が当該編集を行って、当該編集が行われた画像データが画像印刷部で一旦保存される為、印刷の度に画像作成部から画像印刷部への転送も必要なくなり、処理時間が短縮される。
【符号の説明】
【００８３】
１１  画像形成装置
１３  画像作成部
１３ｐ  画像作成手段
１３ｐ１  画像変換手段
１３ｐ２  画像データ編集手段
１３ｐ３  画像データ送信手段
１３ｐ４  画像データ削除手段
１５  画像印刷部
１５ｐ  画像印刷手段
１５ｐ１  画像データ受信手段
１５ｐ２  画像データ保存手段
１５ｐ３  画像データ受信完了通知手段
１５ｐ４  画像データ印刷手段
１５ｐ５  画像データ削除手段
１７  ネットワークインタフェース
３１  ホストＰＣ
【図１】
2011016342.tif 000003
【図２】
2011016342.tif 000004
【図３】
2011016342.tif 000005
【図４】
2011016342.tif 000006